(57)【要約】【課題】ユーザの手間がかからず、レコーダの記録容量を有効に使用して番組を録画および視聴するテレビジョン装置を提供すること。【解決手段】テレビジョン装置１の録画・再生・消去制御部２０１は、番組Ａをレコーダ７，２に録画するとき、録画リスト検索部２０３によりレコーダに録画されている番組のリストを検索する。検索の結果、番組Ａと同一内容の番組Ｂが録画されている場合、表示部１０９ｂにて、番組Ａと同一の番組Ｂが録画済であることを通知し、かつ、録画する番組Ａと録画済の番組Ｂのいずれかを消去するか否かをユーザに選択させる。ユーザが一方の番組を消去することを選択した場合、制御部は、レコーダに番組Ａを録画した後に、番組Ａおよび番組Ｂのいずれかを消去する。【選択図】図３
2018074470.tif 000002
【特許請求の範囲】
【請求項１】
放送された番組を受信して表示するとともに受信した番組をレコーダにて録画するテレビジョン装置において、
前記受信した番組、あるいは前記レコーダで再生された番組を表示する表示部と、
前記レコーダに録画されている番組のリストを検索する録画リスト検索部と、
前記レコーダの録画、再生、および消去動作を制御する制御部と、を備え、
前記制御部は、所定の番組Ａを前記レコーダに録画または録画予約するとき、前記録画リスト検索部による検索の結果、前記番組Ａと同一内容の番組Ｂが前記レコーダに録画されていることが判明した場合、
前記表示部にて、録画しようとする番組Ａと同一の番組Ｂが録画済であることをユーザに通知し、かつ、前記レコーダに録画する前記番組Ａおよび録画済の前記番組Ｂのいずれか一方の番組を消去するか否かをユーザに選択させる画面を表示し、
ユーザが一方の番組を消去することを選択した場合、前記制御部は、前記レコーダに前記番組Ａを録画した後に、前記レコーダに録画されている前記番組Ａおよび前記番組Ｂのいずれか一方の番組を消去することを特徴とするテレビジョン装置。
【請求項２】
放送された番組を受信して表示するとともに受信した番組をレコーダにて録画するテレビジョン装置において、
前記受信した番組、あるいは前記レコーダで再生された番組を表示する表示部と、
前記レコーダに録画されている番組のリストを検索する録画リスト検索部と、
前記レコーダの録画、再生、および消去動作を制御する制御部と、を備え、
前記制御部は、所定の番組Ａを前記レコーダから再生するとき、前記録画リスト検索部による検索の結果、前記番組Ａと同一内容の番組Ｂが前記レコーダに重複して録画されていることが判明した場合、
前記表示部にて、再生しようとする番組Ａと同一の番組Ｂが重複して録画済であることをユーザに通知し、かつ、前記レコーダに重複して録画されている前記番組Ａおよび前記番組Ｂのいずれか一方の番組を消去するか否かをユーザに選択させる画面を表示し、
ユーザが一方の番組を消去することを選択した場合、前記制御部は、前記レコーダから前記番組Ａまたは前記番組Ｂを再生した後に、前記レコーダに録画されている前記番組Ａおよび前記番組Ｂのいずれか一方の番組を消去することを特徴とするテレビジョン装置。
【請求項３】
請求項１または２に記載のテレビジョン装置において、
前記レコーダは、屋内ネットワークを介して前記テレビジョン装置と接続された屋内レコーダを含むことを特徴とするテレビジョン装置。
【請求項４】
請求項１または２に記載のテレビジョン装置において、
前記制御部は、前記レコーダに録画されている前記番組Ａおよび前記番組Ｂのいずれか一方の番組を消去するとき、前記番組Ａと前記番組Ｂの記録品質を比較し、記録品質の低い方の番組を消去することを特徴とするテレビジョン装置。
【請求項５】
放送された番組を受信して表示するとともに受信した番組をレコーダにて録画するテレビジョン装置において、
ネットワークを介して外部装置から配信されるコンテンツを検索して取得する外部コンテンツ取得部と、
前記受信した番組、あるいは前記レコーダで再生された番組、あるいは前記外部コンテンツ取得部にて取得したコンテンツを表示する表示部と、
前記レコーダの録画、再生、および消去動作と、前記外部コンテンツ取得部を制御する制御部と、を備え、
前記制御部は、所定の番組Ａを前記レコーダに録画または録画予約するとき、前記外部コンテンツ取得部による検索の結果、前記番組Ａと同一内容のコンテンツＣが前記外部装置から取得可能であることが判明した場合、
前記表示部にて、録画しようとする番組Ａと同一のコンテンツＣが視聴できることをユーザに通知し、かつ、前記コンテンツＣを視聴するか否かをユーザに選択させる画面を表示し、
ユーザが前記コンテンツＣを視聴することを選択した場合、前記制御部は、前記レコーダに前記番組Ａを録画せずに、前記外部コンテンツ取得部により前記コンテンツＣを取得して前記表示部に表示することを特徴とするテレビジョン装置。
【請求項６】
放送された番組を受信して表示するとともに受信した番組をレコーダにて録画するテレビジョン装置において、
ネットワークを介して外部装置から配信されるコンテンツを検索して取得する外部コンテンツ取得部と、
前記受信した番組、あるいは前記レコーダで再生された番組、あるいは前記外部コンテンツ取得部にて取得したコンテンツを表示する表示部と、
前記レコーダの録画、再生、および消去動作と、前記外部コンテンツ取得部を制御する制御部と、を備え、
前記制御部は、所定の番組Ａを前記レコーダから再生するとき、前記外部コンテンツ取得部による検索の結果、前記番組Ａと同一内容のコンテンツＣが前記外部装置から取得可能であることが判明した場合、
前記表示部にて、再生しようとする番組Ａと同一のコンテンツＣが視聴できることをユーザに通知し、かつ、前記レコーダに録画されている前記番組Ａを消去するか否かをユーザに選択させる画面を表示し、
ユーザが前記番組Ａを消去することを選択した場合、前記制御部は、前記レコーダから前記番組Ａを再生した後に、あるいは前記外部コンテンツ取得部により前記コンテンツＣを取得して視聴した後に、前記レコーダに録画されている前記番組Ａを消去することを特徴とするテレビジョン装置。
【請求項７】
請求項５または６に記載のテレビジョン装置において、
前記外部コンテンツ取得部は、前記外部装置が提供するコンテンツを無料コンテンツと有料コンテンツに分けて検索し、有料コンテンツについてはユーザが購入するための画面を提示することを特徴とするテレビジョン装置。
【発明の詳細な説明】
【技術分野】
【０００１】
本発明は、放送番組を視聴するとともに録画するテレビジョン装置に関する。
【背景技術】
【０００２】
ユーザがテレビジョン装置で気に入った放送番組を録画しようとしたとき、レコーダ（内蔵記録媒体あるいは外付レコーダ）の記録容量の限界を超えて録画できない場合がある。よってユーザは、レコーダ内の不要となった録画済の番組を消去して新たな番組を録画することになるが、その作業が煩わしいものとなる。
【０００３】
これに対処する方法として、録画する番組にそれを保存する有効期限を設定して管理する方法が知られている。例えば、特許文献１には、番組の種類により標準的な有効期限を設定すること、あるいは永久保管を選択することが可能であること、期限を越えた番組については自動的に消去すること（または他の記録媒体にダビングする）ことが記載されている。
【０００４】
一方、気に入った番組と同一内容のコンテンツをネットワーク経由で視聴することが可能である。例えば特許文献２には、記録センターでは放送された全番組データを保存しており、ユーザは記録センターから所望の番組を要求して視聴できることが記載されている。
【先行技術文献】
【特許文献】
【０００５】
【特許文献１】特開２００６−１７３７６６号公報
【特許文献２】特開２００３−３２４６７５号公報
【発明の概要】
【発明が解決しようとする課題】
【０００６】
特許文献１の技術によれば、有効期限を越えた不要な番組は自動的に消去されるので、レコーダの記録容量を有効に使用し、またユーザの負担を軽減することができる。一方、レコーダには同一内容の番組が重複して録画保存されている場合がある。これはユーザが気に入った番組を自動録画するような方式の場合に生じやすく、また、録画番組数が増加するに従い、ユーザは同一番組が重複して録画されていることに気付かないことが多い。レコーダに同一番組が重複して保存されることは、レコーダの記録容量を有効に使用する観点から好ましくないが、同一番組が重複していることをユーザが知るためには手間がかかる。
【０００７】
また、特許文献２のように、テレビジョンの放送番組と同一内容のコンテンツをネットワーク経由で視聴することが可能である。この方法を組み合わせれば、レコーダに番組を録画することなく所望の番組を視聴できるので、レコーダの記録容量を気にする必要がなくなる。しかし、ユーザが放送番組を録画しようとするとき、同一内容のコンテンツが存在するかを逐一検索することは煩わしく、手間がかかる。
【０００８】
本発明の目的は、ユーザの手間がかからず、レコーダの記録容量を有効に使用して番組を録画および視聴するテレビジョン装置を提供することである。
【課題を解決するための手段】
【０００９】
本発明は、放送された番組を受信して表示するとともに受信した番組をレコーダにて録画するテレビジョン装置において、前記受信した番組、あるいは前記レコーダで再生された番組を表示する表示部と、前記レコーダに録画されている番組のリストを検索する録画リスト検索部と、前記レコーダの録画、再生、および消去動作を制御する制御部と、を備える。前記制御部は、所定の番組Ａを前記レコーダに録画または録画予約するとき、前記録画リスト検索部による検索の結果、前記番組Ａと同一内容の番組Ｂが前記レコーダに録画されていることが判明した場合、前記表示部にて、録画しようとする番組Ａと同一の番組Ｂが録画済であることをユーザに通知し、かつ、前記レコーダに録画する前記番組Ａおよび録画済の前記番組Ｂのいずれか一方の番組を消去するか否かをユーザに選択させる画面を表示する。ユーザが一方の番組を消去することを選択した場合、前記制御部は、前記レコーダに前記番組Ａを録画した後に、前記レコーダに録画されている前記番組Ａおよび前記番組Ｂのいずれか一方の番組を消去する。
【発明の効果】
【００１０】
本発明によれば、ユーザの手間がかからず、レコーダの記録容量を有効に使用して番組を録画および視聴するテレビジョン装置を提供できる。
【図面の簡単な説明】
【００１１】
【図１】本発明を適用する録画システムの全体構成を示す図。
【図２】テレビジョン装置の内部構成を示すブロック図。
【図３】テレビジョン装置の録画視聴機能のブロック構成を示す図。
【図４】録画視聴管理部の録画管理状況の例を一覧表示した図。
【図５】ＶＯＤサービスの表示画面の例を示す図。
【図６Ａ】自機レコーダにて録画動作を行うときのフローチャート（実施例１）。
【図６Ｂ】自機レコーダにて再生動作を行うときのフローチャート。
【図７Ａ】録画時の表示画面の例を示す図。
【図７Ｂ】再生時の表示画面の例を示す図。
【図８Ａ】自機レコーダと他機レコーダにて録画動作を行うときのフローチャート（実施例２）。
【図８Ｂ】自機レコーダと他機レコーダにて再生動作を行うときのフローチャート。
【図９Ａ】ＶＯＤを利用して録画動作を行うときのフローチャート（実施例３）。
【図９Ｂ】ＶＯＤを利用して再生動作を行うときのフローチャート。
【図１０Ａ】録画時の表示画面の例を示す図。
【図１０Ｂ】再生時の表示画面の例を示す図。
【発明を実施するための形態】
【００１２】
図１は、本発明を適用する録画システムの全体構成を示す図である。録画システムは、テレビジョン装置１と録画部７と屋内レコーダ２を備えて構成される。テレビジョン装置１は、放送局３から送出された放送番組を放送波３０、あるいはネットワーク（外部ネットワーク４ａ、屋内ネットワーク４ｂ、ルータ５）を介して受信して、映像／音声を表示／出力する。ユーザ１０は、リモコン８を用いて視聴したいチャンネルや番組を選択し、かつ番組の録画または録画予約を行う。また、必要に応じて、外部ネットワーク４ａを介して外部サーバ６から映像／音声コンテンツを取得して、視聴／録画することもできる。これにより、例えばＶＯＤ（Video On Demand）サービスを利用して放送番組と同一のコンテンツを取得することができる。
【００１３】
番組の録画先は、テレビジョン装置１に内蔵または外付け接続されたＨＤＤなどの録画部７、または屋内ネットワーク４ｂに接続された屋内レコーダ２にて行う。録画部７を持たないテレビジョン装置１の場合は、例えば「もう一度見たい」ボタンを設ける。ユーザが視聴しているときに、「もう一度見たい」ボタンを押すと、自動的に屋内レコーダ２を検索し、録画指示や録画予約指示を行う。以下の説明では、録画部７と屋内レコーダ２を総称して「レコーダ」と呼ぶが、録画部７を「自機レコーダ」、屋内レコーダ２を「他機レコーダ」として区別する。
【００１４】
この録画システムでは、外部サーバ６から番組コンテンツを取得すること、録画先として屋内レコーダ２を追加したことで、番組の取得機能と録画機能を拡大させている。
【００１５】
図２は、テレビジョン装置の内部構成を示すブロック図である。テレビジョン装置１は、システムバス１００、ＣＰＵ（主制御部）１０１、ＲＯＭ（Read Only Memory）１０２、ＲＡＭ（Random Access Memory）１０３、録画部（ＨＤＤ）１０４、外部インターフェース１０５、通信部１０６、操作部１０７、放送受信部１０８、映像処理部１０９、音声処理部１１０、計時部１１１を備えて構成される。録画部１０４は図１の録画部７に相当するが、別に備えて構成してもよい。
【００１６】
システムバス１００は、ＣＰＵ１０１とテレビジョン装置１内の各部との間でデータ送受信を行うためのデータ通信路である。ＣＰＵ１０１は、所定のプログラムに従ってテレビジョン装置１全体を制御するマイクロプロセッサユニットである。
【００１７】
ＲＯＭ１０２は、オペレーティングシステムなどの基本動作プログラムやその他のアプリケーションプログラムが格納されたメモリであり、例えばＥＥＰＲＯＭやフラッシュＲＯＭのような書き換え可能なＲＯＭが用いられる。ＲＯＭ１０２に格納されたプログラムを更新することにより、基本動作プログラムやその他のアプリケーションプログラムのバージョンアップや機能拡張が可能である。ここには、放送番組の録画制御やコンテンツ入手のための検索機能等を実行するためのアプリケーションプログラムを格納している。
【００１８】
ＲＡＭ１０３は、基本動作プログラムやその他のアプリケーションプログラム実行時のワークエリアとなる。ここには、テレビ放送から受信した電子番組表（ＥＰＧ）や、ユーザが登録した録画予約表も記憶されている。
【００１９】
録画部（ＨＤＤ）１０４は、受信した放送番組の映像・音声データの録画・再生を行う。その際、リングバッファ方式で全番組を一時録画し、ユーザが必要な箇所を再生するタイムシフト再生機能を備えるものが好ましい。録画部１０４は、ＨＤＤの代わりに、フラッシュＲＯＭやＳＳＤ（Solid State Drive）等のデバイスでもよい。録画部１０４は、テレビジョン装置１に内蔵する構成でも、外付けで接続する構成でもよい。
【００２０】
外部インターフェース１０５は、テレビジョン装置１の機能を拡張するためのインターフェース群である。映像入力インターフェース１０５ａ及び音声入力インターフェース１０５ｂは、外部映像／音声出力機器からの映像信号／音声信号の入力を行う。ＵＳＢインターフェース１０５ｃは、キーボード等のＵＳＢ機器若しくはメモリカード類の接続等を行う。
【００２１】
通信部１０６は、外部ネットワーク４ａと情報の送受信を行うための無線ＬＡＮ通信部１０６ａと、屋内ネットワーク４ｂで情報の送受信を行うための近距離無線通信部１０６ｂで構成される。また、図１の屋内レコーダ２等で録画・再生を行う場合は、屋内ネットワーク４ｂに接続すればよい。
【００２２】
操作部１０７は、テレビジョン装置１に対する操作指示（番組選択や録画・再生指示）の入力を行う指示入力部であり、操作ボタン１０７ａ及びリモコン８からの赤外線信号を受信するリモコン受信部１０７ｂで構成される。
【００２３】
放送受信部１０８は、チューナ１０８ａ、分離部１０８ｂ、エンコーダ／デコーダ１０８ｃで構成される。チューナ１０８ａは、アンテナが受信した放送波からユーザが選局したチャンネルの信号を抽出し、ＴＳ（Transport Stream）信号を復調する。分離部１０８ｂは、前記ＴＳ信号をそれぞれパケット化された映像データと音声データと付随情報データとに分離する。エンコーダ／デコーダ１０８ｃは、分離部１０８ｂから出力された映像データ、音声データ、付随情報データをデコードし、映像信号は映像処理部１０９へ、音声信号は音声処理部１１０に出力する。付随情報データからは、各番組の番組名、ジャンル、放映開始／終了日時、等の番組情報を含むＳＩ（Service Information）情報等を取得する。
【００２４】
映像処理部１０９は、映像データ処理部１０９ａとディスプレイ（表示部）１０９ｂで構成される。映像データ処理部１０９ａは、エンコーダ／デコーダ１０８ｃや映像入力インターフェース１０５ａから入力した映像データ、通信部１０６により受信した映像データ、或いは録画部１０４から再生された映像データ等に対して、必要に応じてフォーマット変換、メニューやその他のＯＳＤ（On Screen Display）データの重畳処理等を行う。ディスプレイ（表示部）１０９ｂは、例えば液晶パネルのような表示デバイスであり、映像データ処理部１０９ａで処理した映像を表示する。
【００２５】
音声処理部１１０は、音声データ処理部１１０ａ、スピーカ１１０ｂで構成される。音声データ処理部１１０ａは、エンコーダ／デコーダ１０８ｃや音声入力インターフェース１０５ｂから入力した音声データ、通信部１０６により受信した音声データ、或いは録画部１０４から再生された音声データ等に対して、必要に応じてフォーマット変換等の処理を行う。スピーカ１１０ｂは、音声データ処理部１１０ａで処理した音声を出力する。
【００２６】
計時部１１１は、現在の日時・時刻及び曜日の情報を出力するとともに、ＲＴＣ（Real Time Clock）回路などを用いて経過時間の計測を行う。
【００２７】
次に、テレビジョン装置１の録画・視聴機能について説明する。録画方法として、ユーザが視聴中の番組を気に入り録画開始することや番組表を参照して録画予約することの他に、ユーザが所望の番組を確実に録画・視聴するために、次のような録画・視聴機能を有する。
【００２８】
（１）自動録画機能として、ユーザが視聴中の番組を気に入ったことをテレビジョン装置が検知して、ユーザが視聴中の番組Ａを自動的にレコーダ（録画部７または屋内レコーダ２）に録画する。例えば、ユーザが同一番組を所定時間以上継続して視聴している場合は、お気に入り番組であると判定する。しかし番組途中から録画の場合、録画開始以前の部分は録画することができないが、以下の（２）〜（４）の方法により番組Ａ全体を最初から取得することができる。
【００２９】
（２）一時記録機能として、レコーダにて、各チャンネルの放送番組を全録画モードでリングバッファに取り込んでおく。そして、ユーザが所望の番組Ａを指定することで、リングバッファから指定された番組Ａを取得し保存する方法である。
【００３０】
（３）再放送から入手する方法である。放送局３から番組Ａと同一番組がその後再放送される予定を検索し、レコーダに録画予約して入手するものである。特にＣＡＴＶなどでは同一番組が何度も再放送されることが多く、時には他の放送局で放送される場合もある。
【００３１】
（４）ＶＯＤ（Video On Demand）から入手する方法である。放送局が運営しているＶＯＤサービス、コンテンツプロバイダからのＶＯＤ配信などを利用して、所望の番組Ａと同一コンテンツＣをダウンロードして視聴する。この場合、有料コンテンツについてはユーザが購入する処理が伴う。
【００３２】
さらに、レコーダの記録容量を有効に使用するために、不要な録画済番組について次のような消去動作を行う。
（５）ユーザが所望の番組Ａを録画するとき、または録画した番組Ａを再生するとき、レコーダに同一の番組Ｂが既に録画されている場合、同一番組が録画済であることをユーザに通知する。そして、ユーザの指示によりレコーダ内の重複する番組を消去する。
【００３３】
（６）ユーザが所望の番組Ａを録画するとき、または録画した番組Ａを再生するとき、ＶＯＤサービスで視聴可能なコンテンツを検索する。検索の結果、番組Ａと同一内容のコンテンツＣが存在する場合、その旨をユーザに通知する。そして、ユーザの指示により番組Ａの録画または再生を止めてコンテンツＣの視聴に切り替え、さらに録画済の番組Ａを消去する。
【００３４】
図３は、テレビジョン装置の録画視聴機能のブロック構成を示す図である。テレビジョン装置１のＲＯＭ１０２には、放送番組やコンテンツの録画視聴処理を行うためのプログラムが格納されており、ＲＡＭ１０３に展開され、ＣＰＵ１０１により実行される。その結果、図３に示す録画視聴管理部２００の機能構成を実現する。以下、録画視聴管理部２００の構成を説明する。
【００３５】
録画・再生・消去制御部２０１は、レコーダ（録画部７、屋内レコーダ２）に対し放送番組の録画・再生および消去動作の制御を行うとともに、ネットワーク４ａ，４ｂを介して外部サーバ６に接続し、ＶＯＤコンテンツの取得と視聴を制御する。その際ユーザ表示部２０２は、映像処理部（ディスプレイ）１０９や音声処理部（スピーカ）１１０を介してユーザへのメッセージや選択画面を表示し、またユーザからの選択を受け付ける。例えばこのメッセージにより録画番組が重複していることを通知し、ユーザは一方の番組を消去することを選択することができる。
【００３６】
録画リスト検索部２０３は、レコーダ７，２に録画されている番組のリスト（以下、録画リスト）を検索する。各レコーダは自身が記録した番組について、各番組の番組名、ジャンル、放映開始／終了日時、等の番組情報を保持している。よって、録画リスト検索部２０３は、各レコーダの保持する録画済番組の番組情報を参照することで、同一番組がどのレコーダに録画されているかを知ることができる。
【００３７】
ＥＰＧ検索部２０４は、電子番組表（ＥＰＧ）を参照し所定期間（例えば今後１週間）の範囲で再放送の予定を検索する。放送局ＨＰ検索部２０５は、他の放送局も含め放送局ホームページを参照して、同一番組の再放送予定を検索する。再放送録画設定部２０６は、録画予約部２０７に対し再放送の録画可否の問合せ／自動録画予約を行う。録画予約部２０７は、レコーダ７，２に対し、指定された番組の録画予約を行う。
【００３８】
ＶＯＤ検索部２０８は、無料ＶＯＤ検索部２０８ａと有料ＶＯＤ検索部２０８ｂとを有し、通信部１０６を介し外部サーバ６にアクセスし、視聴可能なＶＯＤサービスのコンテンツリスト内で、指定された番組と同一内容の無料あるいは有料のコンテンツを検索する。該当するコンテンツが存在すれば、コンテンツ再生部２０９は映像処理部１０９に対しコンテンツの紹介画面を表示する。その際有料のコンテンツについては、視聴に要する金額も表示する。ユーザから再生開始（購入承認）の指示を受けると、該当するコンテンツを取得して再生し、映像処理部１０９や音声処理部１１０に出力する。ＶＯＤ検索部２０８とコンテンツ再生部２０９は、まとめて「外部コンテンツ取得部」と呼ぶ。
【００３９】
図４は、録画視聴管理部２００の録画管理状況の例を一覧表示した図である。録画管理状況は現在の各レコーダにおける録画（予約）状況を示すもので、映像処理部（ディスプレイ１０９ｂ）に表示させてユーザが確認することができる。ここでは「お気に入り」タブを選択した場合を示し、ユーザが気に入って録画した番組、あるいは予約録画に登録した番組の一覧が表示される。表示される番組（コンテンツ）は録画済のものだけでなく、再放送待ちのもの、ＶＯＤにてすぐ視聴が可能なものを区別して表示している。
【００４０】
録画済（録画予約）の番組については属性情報として録画モード（標準／高精細などの区別）を追加して表示してもよい。またＶＯＤについては、無料のもの、会員登録していれば無料となるもの、有料なものに分類している。このＶＯＤ表示は、ＶＯＤ検索部２０８での検索処理の結果を反映したもので、対応するＶＯＤコンテンツが存在する場合に表示する。
【００４１】
ユーザはこの画面から所望の番組を選択して視聴することができる。例えば録画済の番組「クイズＸ」をカーソルで選び、リモコンでＯｋボタンを押せば録画済番組の再生が開始する。ただし、再放送待ちの番組（ここでは「ドラマ：春の嵐」、灰色で表示）は、すぐ視聴することができないので、カーソルを合わせることができない。また、自動録画により録画したが番組途中から録画されているもの（ここでは「スポーツ」）は、「中途録画」と表示する。この場合は再生は可能だが、番組の最初から視聴することはできない。このときは、自動的に再放送待ちが予約される。
【００４２】
一方、所望の番組と同一内容のＶＯＤコンテンツが存在する場合は、ＶＯＤでの視聴が可能である。その場合、該当する番組をカーソルで選んでＯｋボタンを押せば、後述する図５に示すＶＯＤサービス画面に遷移し、視聴を開始することができる。よって、所望の番組を録画できなかった場合や録画待ちの場合であっても、ＶＯＤを利用することで即時に視聴することができ、ユーザの利便性が高まる。
【００４３】
また、所望の番組と同一内容のコンテンツについて、ダウンロード販売を利用して視聴することができる場合は、その旨を表示する。この場合もＶＯＤと同様に動作するが、コンテンツ全体を一旦レコーダにダウンロードしてから視聴する。その場合、他の記録媒体（ＤＶＤ等）への移動も可能である。
【００４４】
図５は、ＶＯＤサービスの表示画面の例を示す図である。
（ａ）は、ＶＯＤ検索部２０８の検索結果として、見つかった複数のコンテンツをリスト表示している。一画面に全リストが入らない場合は、「前ページ」「次ページ」でページ切り替えを行う。ユーザが所望のコンテンツを選ぶと、（ｂ）または（ｃ）のような、再生可否をユーザに問い合わせる画面となる。
【００４５】
（ｂ）は、無料ＶＯＤ検索部２０８ａにて検索された無料コンテンツを表示している。「続きから再生」ボタンを選ぶと、前回視聴した途中の場面から再生する。「先頭から再生」ボタンを選ぶと、コンテンツを先頭から再生する。ボタンを表示せずに、自動的に先頭から再生してもよい。
【００４６】
（ｃ）は、有料ＶＯＤ検索部２０８ｂにて検索された有料コンテンツを表示している。この場合コンテンツは有料であるため、視聴に要する金額を表示し「購入・再生」ボタンによりユーザに購入可否の判断を要求する画面となっている。
【００４７】
ＶＯＤコンテンツの取得では、以下のように様々な入手法が可能である。
（１）放送局が供給している「見逃し配信」のようなＶＯＤを検索し、抽出した当該番組の再生開始画面をユーザに提供する。
（２）放送番組（例えば映画の場合）と同一のコンテンツを、各社ＶＯＤで検索し、抽出した当該番組の再生開始画面をユーザに提供する。
（３）放送番組（例えば映画の場合）と同一のコンテンツを、動画コンテンツのダウンロード販売で検索し、購入画面をユーザに提示する。
【００４８】
次に、レコーダの記録容量を有効に使用するための、番組録画の可否選択、および重複する録画済番組の消去動作について説明する。以下、対象とする録画システムの範囲を、自機レコーダ（録画部７）のみの場合、他機レコーダ（屋内レコーダ２）を含める場合、およびＶＯＤコンテンツ（外部サーバ６）の利用を含める場合に分けて説明する。
【実施例１】
【００４９】
実施例１では、録画システムが自機レコーダ（録画部７）のみを利用する場合の、録画済番組の消去動作について説明する。タイミングとして、所定の番組を自機レコーダに録画するときと、自機レコーダから録画済の番組を再生するときに分けて説明する。
【００５０】
図６Ａは、自機レコーダにて録画動作を行うときのフローチャートを示す図である。この処理は、録画視聴管理部２００の録画・再生・消去制御部２０１および録画リスト検索部２０３が中心となって行う。
【００５１】
Ｓ３０１：ユーザはリモコン８等を用いて、視聴している番組Ａを気に入り録画操作を行う。あるいは、番組表を参照して番組Ａについて録画予約の操作を行う。
Ｓ３０２：録画リスト検索部２０３は、自機レコーダ（録画部７）の録画リストを検索する。自機レコーダには、録画済番組の番組名などの番組情報が保存されている。
【００５２】
Ｓ３０３：録画リスト検索部２０３は、録画リストの番組情報を参照して、録画しようとする番組Ａと同一の番組が自機レコーダに録画されているかどうかを判定する。番組Ａと同一の番組Ｂが録画されていればＳ３０５へ進み、同一の番組が録画されていなければＳ３０４へ進む。
Ｓ３０４：録画・再生・消去制御部２０１は、番組Ａと同一の番組は録画されていないので、自機レコーダにて番組Ａの録画（または録画予約）を実行させる。これで終了し、自機レコーダには番組Ａが録画されて残る。
【００５３】
Ｓ３０５：番組Ａと同一の番組Ｂが録画されているので、ユーザ表示部２０２は映像表示部１０９（ディスプレイ１０９ｂ）に対し、録画済の同一の番組Ｂが存在することをアラーム表示する。
図７Ａには表示画面の例を示す。なお、表示する内容に録画済の番組Ｂの録画モードを含めてもよい。さらに表示画面では、番組Ａを「上書き」するか否かをユーザに選択させる画面を表示する。ここで「上書き」とは一旦番組Ａを録画した後、番組Ａと番組Ｂのいずれか一方を消去することを意味する。逆に「上書き」しないことは、番組Ａと番組Ｂの両方を残すことを意味する。
【００５４】
Ｓ３０６：ユーザは、番組Ａを「上書き」するか否かを選択する。上書きすることを選択した場合はＳ３０８へ進み、上書きしないことを選択した場合はＳ３０７へ進む。
Ｓ３０７：録画・再生・消去制御部２０１は、自機レコーダにて番組Ａの録画（録画予約）を実行させる。これで終了し、自機レコーダには番組Ａと番組Ｂの両方が残る。
【００５５】
Ｓ３０８：自機レコーダにて番組Ａの録画（録画予約）を実行させる。録画するとき自機レコーダでは、記録品質として例えば記録時のエラーレートを測定する。
Ｓ３０９：番組Ａの録画を終了したら、録画が正常に終了したかどうかを判定する。例えばレコーダの容量不足のために番組全体が録画できない場合がありえる。正常に終了していればＳ３１０へ進み、正常に終了しなかったときはＳ３１３へ進む。
【００５６】
Ｓ３１０：録画・再生・消去制御部２０１は、自機レコーダから番組Ａと番組Ｂの記録品質（エラーレート）を取得する。なお、録画済の番組Ｂについても自機レコーダは記録時のエラーレートを保持しているものとする。
Ｓ３１１：取得した番組Ａと番組Ｂの記録品質を比較し、番組Ａが番組Ｂより高品質かどうかを判定する。番組Ａが番組Ｂより高品質であればＳ３１２へ進み、番組Ｂが番組Ａより高品質であればＳ３１３へ進む。
【００５７】
Ｓ３１２：録画・再生・消去制御部２０１は、自機レコーダから記録品質の低い方の番組Ｂを消去する。なお、消去動作を開始するときユーザ表示部２０２は、番組Ｂを消去する旨の確認メッセージを表示してユーザの承諾を得るようにしてもよい。その結果、自機レコーダには記録品質の高い番組Ａのみが残る。
Ｓ３１３：自機レコーダから記録品質の低い方の番組Ａを消去する。その際ユーザ表示部２０２は、番組Ａを消去する旨の確認メッセージを表示してユーザの承諾を得るようにしてもよい。その結果、自機レコーダには記録品質の高い番組Ｂのみが残る。
【００５８】
以上のように、録画（録画予約）時において、録画しようとする番組Ａと同一の録画済の番組Ｂが自機レコーダに存在するとき、自動的にその旨を通知し、番組Ａを録画した後一方の番組を消去する。これにより、ユーザの手間をかけることなく、同一の番組が重複して自機レコーダに残ることを回避することができる。
【００５９】
図６Ｂは、自機レコーダにて再生動作を行うときのフローチャートを示す図である。この処理も、録画視聴管理部２００の録画・再生・消去制御部２０１および録画リスト検索部２０３が中心となって行う。
【００６０】
Ｓ４０１：ユーザは例えば図４の録画管理一覧表示を参照し、録画済の所望の番組Ａに対する再生操作を行う。
Ｓ４０２：録画リスト検索部２０３は、自機レコーダの録画リストを検索する。自機レコーダには録画済番組の番組名などの番組情報が保存されている。
【００６１】
Ｓ４０３：録画リスト検索部２０３は、録画リストの番組情報を参照して、再生しようとする番組Ａと同一の番組が自機レコーダに重複して録画されているかどうかを判定する。番組Ａと同一の番組Ｂが録画されていればＳ４０５へ進み、同一の番組が録画されていなければＳ４０４へ進む。
Ｓ４０４：録画・再生・消去制御部２０１は、番組Ａと同一の番組は録画されていないので、番組Ａの再生を実行させる。これで終了し、自機レコーダには番組Ａを残したままとする。
【００６２】
Ｓ４０５：番組Ａと同一の番組Ｂが録画されているので、ユーザ表示部２０２は映像表示部１０９に対し、重複して録画されている同一の番組Ｂが存在することをアラーム表示する。
図７Ｂには表示画面の例を示す。なお、表示する内容に録画済の番組Ａと番組Ｂのそれぞれの録画モードを含めてもよい。さらに表示画面では、重複して録画している番組の「一方を消去」するか、「両方を残す」かをユーザに選択させる画面を表示する。その際ユーザは、録画モードを考慮して番組を選択することができる。
【００６３】
Ｓ４０６：ユーザは、「一方を消去」するか否かを選択する。「一方を消去」することを選択した場合はＳ４０８へ進み、「両方を残す」を選択した場合はＳ４０７へ進む。
Ｓ４０７：録画・再生・消去制御部２０１は、自機レコーダにて番組Ａの再生を実行させる。これで終了し、自機レコーダには番組Ａと番組Ｂの両方を残したままとする。
【００６４】
Ｓ４０８：録画・再生・消去制御部２０１は、自機レコーダから番組Ａと番組Ｂの記録品質（エラーレート）を取得する。
Ｓ４０９：取得した番組Ａと番組Ｂの記録品質を比較し、番組Ａが番組Ｂより高品質かどうかを判定する。番組Ａが番組Ｂより高品質であればＳ４１０へ進み、番組Ｂが番組Ａより高品質であればＳ４１２へ進む。
【００６５】
Ｓ４１０：録画・再生・消去制御部２０１は、自機レコーダにて番組Ａの再生を実行させる。
Ｓ４１１：番組Ａの再生が終了したら、記録品質の低い方の番組Ｂを消去する。その際ユーザ表示部２０２は、番組Ｂを消去する旨の確認メッセージを表示するようにしてもよい。その結果、自機レコーダには記録品質の高い番組Ａのみが残る。
【００６６】
Ｓ４１２：録画・再生・消去制御部２０１は、自機レコーダにて番組Ｂの再生を実行させる。
Ｓ４１３：番組Ｂの再生が終了したら、記録品質の低い方の番組Ａを消去する。その際ユーザ表示部２０２は、番組Ａを消去する旨の確認メッセージを表示するようにしてもよい。その結果、自機レコーダには記録品質の高い番組Ｂのみが残る。
【００６７】
この例ではＳ４０８以降で、重複して録画している番組の記録品質を比較し、より高品質の番組を再生し他方の番組を消去するようにしたが、勿論、ユーザが再生する番組を指定し、他方の番組を消去してもよい。
【００６８】
以上のように、再生時において、再生しようとする番組Ａと同一の録画済の番組Ｂが自機レコーダに存在するとき、自動的にその旨を通知し一方の番組を消去する。これにより、ユーザの手間をかけることなく、同一の番組が重複して自機レコーダに残ることを回避することができる。
【実施例２】
【００６９】
実施例２では、録画システムが自機レコーダ（録画部７）と他機レコーダ（屋内レコーダ２）を利用する場合の、重複する録画済番組の消去動作について説明する。タイミングとして、所定の番組を自機レコーダまたは他機レコーダに録画するときと、自機レコーダまたは他機レコーダから録画済の番組を再生するときに分けて説明する。なお、実施例１と共通な処理については繰り返しの説明を省略する。
【００７０】
図８Ａは、自機レコーダと他機レコーダにて録画動作を行うときのフローチャートを示す図である。図６Ａと同じ処理には同一のステップ符号を付けている。
【００７１】
Ｓ３０１：ユーザは視聴している番組Ａを気に入り録画操作を行う。あるいは、番組表を参照して番組Ａについて録画予約の操作を行う。
Ｓ３０２’：録画リスト検索部２０３は、自機レコーダ（録画部７）および他機レコーダ（屋内レコーダ２）の録画リストを検索する。自機レコーダおよび他機レコーダには、それぞれのレコーダで録画済番組の番組名などの番組情報が保存されている。
【００７２】
Ｓ３０３’：録画リスト検索部２０３は、録画リストの番組情報を参照して、録画しようとする番組Ａと同一の番組が自機レコーダまたは他機レコーダに録画されているかどうかを判定する。番組Ａと同一の番組Ｂが録画されていればＳ３０５へ進み、同一の番組が録画されていなければＳ３０４へ進む。
Ｓ３０４：録画・再生・消去制御部２０１は、番組Ａと同一の番組は自機レコーダおよび他機レコーダのいずれにも録画されていないので、自機レコーダまたは他機レコーダにて番組Ａの録画（または録画予約）を実行させる。これで終了し、自機レコーダまたは他機レコーダには番組Ａが録画されて残る。
【００７３】
Ｓ３０５：自機レコーダまたは他機レコーダに番組Ａと同一の番組Ｂが録画されているので、ユーザ表示部２０２は映像表示部１０９（ディスプレイ１０９ｂ）に対し、録画済の同一の番組Ｂが存在することをアラーム表示する。表示画面は図７Ａと同様である。
【００７４】
これに続く処理は図６ＡのＳ３０６以降と同様であり、「自機レコーダ」を「自機レコーダまたは他機レコーダ」と読み替えればよい。そして、自機レコーダまたは他機レコーダに番組Ａを録画した後、番組Ａと番組Ｂの一方を消去する。これにより、同一の番組が重複して自機レコーダまたは他機レコーダに残ることを回避することができる。
【００７５】
図８Ｂは、自機レコーダと他機レコーダにて再生動作を行うときのフローチャートを示す図である。図６Ｂと同じ処理には同一のステップ符号を付けている。
【００７６】
Ｓ４０１：ユーザは例えば図４の録画管理一覧表示を参照し、自機レコーダまたは他機レコーダで録画済の所望の番組Ａに対する再生操作を行う。
Ｓ４０２’：録画リスト検索部２０３は、自機レコーダおよび他機レコーダの録画リストを検索する。自機レコーダおよび他機レコーダには、それぞれのレコーダで録画済番組の番組名などの番組情報が保存されている。
【００７７】
Ｓ４０３’：録画リスト検索部２０３は、録画リストの番組情報を参照して、再生しようとする番組Ａと同一の番組が自機レコーダまたは他機レコーダに録画されているかどうかを判定する。番組Ａと同一の番組Ｂが録画されていればＳ４０５へ進み、同一の番組が録画されていなければＳ４０４へ進む。
Ｓ４０４：録画・再生・消去制御部２０１は、番組Ａと同一の番組は自機レコーダおよび他機レコーダのいずれにも録画されていないので、自機レコーダまたは他機レコーダにて番組Ａの再生を実行させる。これで終了し、自機レコーダまたは他機レコーダには番組Ａを残したままとする。
【００７８】
Ｓ４０５：自機レコーダまたは他機レコーダに番組Ａと同一の番組Ｂが録画されているので、ユーザ表示部２０２は映像表示部１０９に対し、重複して録画されている同一の番組Ｂが存在することをアラーム表示する。表示画面は図７Ｂと同様である。
【００７９】
これに続く処理は図６ＢのＳ４０６以降と同様であり、「自機レコーダ」を「自機レコーダまたは他機レコーダ」と読み替えればよい。そして、再生しようとする番組Ａと同一の録画済の番組Ｂが自機レコーダまたは他機レコーダに存在するとき、ユーザにその旨を通知し一方の番組を消去する。これにより、同一の番組が重複して自機レコーダまたは他機レコーダに残ることを回避することができる。
【実施例３】
【００８０】
実施例３では、録画システムがレコーダ（自機または他機）のほかにＶＯＤコンテンツ（外部サーバ６）の利用を含める場合の、重複する録画動作の回避と録画済番組の消去動作について説明する。タイミングとして、所定の番組をレコーダに録画するときと、レコーダから録画済の番組を再生するときに分けて説明する。
【００８１】
図９Ａは、ＶＯＤを利用して録画動作を行うときのフローチャートを示す図である。この処理は、録画視聴管理部２００の録画・再生・消去制御部２０１、および外部コンテンツ取得部（ＶＯＤ検索部２０８とコンテンツ再生部２０９）が中心となって行う。
【００８２】
Ｓ５０１：ユーザは視聴している番組Ａを気に入り録画操作を行う。あるいは、番組表を参照して番組Ａについて録画予約の操作を行う。
Ｓ５０２：ＶＯＤ検索部２０８は、通信部１０６と外部ネットワーク４ａを介し外部サーバ６にアクセスし、視聴可能なＶＯＤサービスのコンテンツリストを検索する。
【００８３】
Ｓ５０３：ＶＯＤ検索部２０８は、指定された番組Ａと同一内容のコンテンツ（無料／有料）が存在するか否かを判定する。番組Ａと同一のコンテンツが存在すればＳ５０４へ進み、同一のコンテンツが存在しなければＳ５０８へ進む。
【００８４】
Ｓ５０４：番組Ａと同一のコンテンツが存在するので、ユーザ表示部２０２は映像表示部１０９に対し、録画しようとする番組ＡはＶＯＤで視聴できることをアラーム表示する。
図１０Ａには表示画面の例を示す。さらに表示画面では、ＶＯＤで視聴するか、番組Ａを録画するかをユーザに選択させる画面を表示する。
【００８５】
Ｓ５０５：ユーザは、ＶＯＤで視聴するか否かを選択する。ユーザがＶＯＤで視聴することを選択した場合はＳ５０６へ進み、番組Ａを録画することを選択した場合はＳ５０８へ進む。
Ｓ５０６：コンテンツ再生部２０９は、図５に示したＶＯＤサービス画面を表示する。この画面でコンテンツを紹介し、ユーザは所望のコンテンツを選択し「再生」を指示する。また有料コンテンツについては購入を承諾する。ユーザがここで「戻る」を選択すれば、Ｓ５０５へ戻る。
【００８６】
Ｓ５０７：コンテンツ再生部２０９は選択されたコンテンツを再生し、ユーザはコンテンツを視聴する。これで終了し、レコーダで番組Ａの録画はなされない。
Ｓ５０８：録画・再生・消去制御部２０１は、レコーダ（自機または他機）にて番組Ａの録画（録画予約）を実行させる。その結果、レコーダには番組Ａが残る。
【００８７】
以上のように、録画（録画予約）時において、録画しようとする番組Ａと同一のＶＯＤコンテンツＣが存在するとき自動的にその旨を通知し、ユーザはＶＯＤで視聴することができる。これにより、ユーザの手間をかけることなく、番組Ａを録画するためのレコーダの容量を節約することができる。
【００８８】
図９Ｂは、レコーダにて再生動作を行うときのフローチャートを示す図である。この処理は、録画視聴管理部２００の録画・再生・消去制御部２０１、および外部コンテンツ取得部（ＶＯＤ検索部２０８とコンテンツ再生部２０９）が中心となって行う。
【００８９】
Ｓ６０１：ユーザは例えば図４の録画管理一覧表示を参照し、録画済の所望の番組Ａに対する再生操作を行う。
Ｓ６０２：ＶＯＤ検索部２０８は、通信部１０６と外部ネットワーク４ａを介し外部サーバ６にアクセスし、視聴可能なＶＯＤサービスのコンテンツリストを検索する。
【００９０】
Ｓ６０３：ＶＯＤ検索部２０８は、指定された番組Ａと同一内容のコンテンツ（無料／有料）が存在するか否かを判定する。番組Ａと同一のコンテンツが存在すればＳ６０５へ進み、同一のコンテンツが存在しなければＳ６０４へ進む。
Ｓ６０４：録画・再生・消去制御部２０１は、レコーダにて番組Ａの再生を実行させる。これで終了し、レコーダには番組Ａを残したままとする。
【００９１】
Ｓ６０５：番組Ａと同一のコンテンツが存在するので、ユーザ表示部２０２は映像表示部１０９に対し、再生しようとする番組ＡはＶＯＤで視聴できることをアラーム表示する。
図１０Ｂには表示画面の例を示す。さらにこの表示画面では、ＶＯＤで視聴するか、番組Ａを再生するかをユーザに選択させる画面を表示する。
【００９２】
Ｓ６０６：ユーザは、ＶＯＤで視聴するか否かを選択する。ユーザがＶＯＤで視聴することを選択した場合はＳ６０７へ進み、番組Ａを再生することを選択した場合はＳ６０９へ進む。
Ｓ６０７：コンテンツ再生部２０９は、図５に示したＶＯＤサービス画面を表示する。この画面でコンテンツを紹介し、ユーザは所望のコンテンツを選択し「再生」を指示する。また有料コンテンツについては購入を承諾する。ユーザがここで「戻る」を選択すれば、Ｓ６０６へ戻る。
【００９３】
Ｓ６０８：コンテンツ再生部２０９は選択されたコンテンツＣを再生し、ユーザはコンテンツを視聴する。その後Ｓ６１０へ進む。
Ｓ６０９：録画・再生・消去制御部２０１は、レコーダ（自機または他機）にて番組Ａの再生を実行させる。
【００９４】
Ｓ６１０：コンテンツＣを視聴した後、あるいは番組Ａを再生したあと、ユーザ表示部２０２は映像表示部１０９に対し、図１０Ｂにように番組Ａを消去するかどうかの選択画面を表示する。ユーザが消去することを選択すればＳ６１１へ進む。消去することを選択しなければこれで終了し、番組Ａは残る。
Ｓ６１１：録画・再生・消去制御部２０１は、レコーダ内の番組Ａを消去する。
【００９５】
なお、Ｓ６１０（図１０Ｂ）のユーザ選択画面（番組Ａの消去の可否）において、次のように追加表示することでユーザの便宜を図ることができる。
（１）放送番組に付属する番組特有のシーン（解説者やゲストの対談など）は、ＶＯＤコンテンツには含まれないことが多い。よって付属情報の有無について表示する。
（２）無料のＶＯＤコンテンツであっても無料となる期間（特に会員限定のフリー公開期間）が限定される場合があり、その旨を表示する。そのためＶＯＤ検索部２０８は、過去に配信されたＶＯＤコンテンツの種別ごとに無料期間の長さをモニターしておき、当該コンテンツの無料期間を予測して表示する。
（３）録画済の番組Ａに対しユーザが最初に「消去しない」を選択した場合、二度目以降の番組Ａの再生時にはこの選択画面を「非表示」にする。あるいは二度目以降の選択画面の「表示／非表示」をユーザが選択できるようにする。
【００９６】
以上のように、番組再生時において、再生しようとする番組Ａと同一のＶＯＤコンテンツＣが存在するとき自動的にその旨を通知し、ユーザはＶＯＤで視聴した後、レコーダ内の番組Ａを消去することができる。これにより、ユーザの手間をかけることなく、レコーダに録画していた番組Ａの記録容量を削減することができる。
【符号の説明】
【００９７】
１…テレビジョン装置、
２…屋内レコーダ、
３…放送局、
４ａ，４ｂ…ネットワーク、
６…外部サーバ、
７…録画部（ＨＤＤ）、
１０４…録画部（ＨＤＤ）、
１０６…通信部、
１０８…放送受信部、
１０９…映像処理部、
１０９ｂ…ディスプレイ（表示部）、
１１０…音声処理部、
２００…録画視聴管理部、
２０１…録画・再生・消去制御部、
２０２…ユーザ表示部、
２０３…録画リスト検索部、
２０４…ＥＰＧ検索部、
２０５…放送局ＨＰ検索部、
２０８…ＶＯＤ検索部、
２０９…コンテンツ再生部。
【図１】
2018074470.tif 000003
【図２】
2018074470.tif 000004
【図３】
2018074470.tif 000005
【図４】
2018074470.tif 000006
【図５】
2018074470.tif 000007
【図６Ａ】
2018074470.tif 000008
【図６Ｂ】
2018074470.tif 000009
【図７Ａ】
2018074470.tif 000010
【図７Ｂ】
2018074470.tif 000011
【図８Ａ】
2018074470.tif 000012
【図８Ｂ】
2018074470.tif 000013
【図９Ａ】
2018074470.tif 000014
【図９Ｂ】
2018074470.tif 000015
【図１０Ａ】
2018074470.tif 000016
【図１０Ｂ】
2018074470.tif 000017